(57)【特許請求の範囲】
【請求項１】
補助先カンの開口部にバンドの先端を挿入し、取付部材により前記補助先カン及び前記バンドを時計ケースのバンド取付部に取り付けた構造において、
前記バンドの先端の下方に該バンドの先端を一定範囲で回転可能とする逃げ部を設け、前記バンドの先端を前記補助先カンの開口部奥の側壁または前記バンド取付部の側壁に当接可能にし、前記取付部材を軸とし前記バンドの先端を回転させた時、バンド上面が前記補助先カンの開口部の上縁に当接する前に前記バンドの先端が前記補助先カンの開口部奥の側壁または前記バンド取付部の側壁に当接して回転を制止することを特徴とする時計用バンドの取付部の構造。
【請求項２】
前記取付部材が挿入される前記バンドの先端の貫通穴の軸中心から前記バンドの先端までの長さＡと、前記貫通穴の軸中心から前記逃げ部までの長さＢとの関係が、
Ａ＞Ｂ
であることを特徴とする請求項１記載の時計用バンドの取付部の構造。
【請求項３】
補助先カンの開口部にバンドの先端を挿入し、取付部材により前記補助先カン及び前記バンドを時計ケースのバンド取付部に取り付けた構造において、
前記補助先カンの下方より開口部方向に突出するツバ部または前記バンド取付部の下方より開口部方向に突出するツバ部を設け、該ツバ部の上方に前記バンドの先端が位置するように配設し、前記取付部材を軸とし前記バンドの先端を回転させた時、バンド上面が前記補助先カンの開口部の上縁に当接する前に前記バンドの先端の下面が前記ツバ部に当接して回転を制止することを特徴とする時計用バンドの取付部の構造。
【請求項４】
前記ツバ部の先端は、前記取付部材が挿入される前記バンドの先端の貫通穴の軸中心より突出していないことを特徴とする請求項３記載の時計用バンドの取付部の構造。
【請求項５】
前記補助先カンに設けた前記ツバ部は、一体または別体からなることを特徴とする請求項３または請求項４記載の時計用バンドの取付部の構造。
【請求項６】
補助先カンの開口部にバンドの先端を挿入し、取付部材により前記補助先カン及び前記バンドを時計ケースのバンド取付部に取り付けた構造において、
前記バンドの先端の下部に、バンド短手方向に突出する突出部を設け、前記取付部材を軸とし前記バンドの先端を回転させた時、前記バンド上面が前記補助先カンの開口部の上縁に当接する前に前記突出部が前記補助先カンの下面に当接して回転を制止することを特徴とする時計用バンドの取付部の構造。
【請求項７】
前記突出部の下面は、前記バンドの先端の下面と略同一面であることを特徴とする請求項６記載の時計用バンドの取付部の構造。
【請求項８】
前記補助先カンの下面には、前記補助先カンの下面と前記突出部の下面とが略同一面となるように、前記突出部が当接する凹部を設けたことを特徴とする請求項６または請求項７記載の時計用バンドの取付部の構造。
【請求項９】
前記取付部材は、バネ棒、ピン、割パイプの中の一つからなることを特徴とする請求項１乃至請求項８記載の時計用バンドの取付部の構造。
【発明の詳細な説明】
【０００１】
【発明の属する技術分野】
本発明は、補助先カン及びバンドを時計ケースのバンド取付部に取り付ける時計用バンドの取付部の構造に関するものである。
【０００２】
【従来の技術】
従来のこの種の時計用バンドの取付部の構造は、図１１及び図１２に示すようなものであった。即ち、補助先カン２の開口部２ａに、バンド４の先端４ａをを挿入し、バネ棒６を先端４ａと補助先カン２に挿通させ、更にこのバネ棒６で時計ケース８のバンド取付部８ａに先端４ａと補助先カン２を共に取り付けるものであった。
【０００３】
【発明が解決しようとする課題】
上記従来の時計用バンドの取付部の構造においては、図１１に示すように、バンド４が持ち上がる方向、即ちバネ棒６を軸として図中反時計方向に先端４ａが回転すると、先端４ａの上面４ｂが補助先カン２の開口部２ａの上縁２ｂに当接し、先端４ａの上面４ｂに線状の傷が付くことがあった。このため、製造・出荷時に先端４ａの上面４ｂにシールを貼って損傷を防いでいたが、コストが増加し、また、展示あるいは使用時にはシールを剥がしているため、どうしても損傷を防ぐことができなかった。
【０００４】
上記従来例の課題を解決するため実公平４−４４１０２号公報に開示されている構造のように、補助先カンの開口部の上縁に張り出した断面を設け、この断面がバンドの先端に当接することにより線状の傷が付くことを防ぐことが提案されていた。しかしながら、この構造においても、補助先カンの開口部の上縁とバンドの先端の上面は点または極短の線で当接することになるため、バンドの先端の上面に傷が付くことには変わりがなく、バンドの先端の上面の損傷を完全に防ぐことはできなかった。
【０００５】
本発明は、上記従来例の課題に鑑みなされたもので、補助先カンまたは時計ケースのバンド取付部に当接することによりバンドの先端の上面に生じる傷を完全に防ぐことができる時計用バンドの取付部の構造を提供するものである。
【０００６】
【課題を解決するための手段】
本発明の時計用バンドの取付部の構造は、補助先カンの開口部にバンドの先端を挿入し、取付部材により前記補助先カン及び前記バンドを時計ケースのバンド取付部に取り付けた構造において、前記バンドの先端の下方に該バンドの先端を一定範囲で回転可能とする逃げ部を設け、前記バンドの先端を前記補助先カンの開口部奥の側壁または前記バンド取付部の側壁に当接可能にし、前記取付部材を軸とし前記バンドの先端を回転させた時、バンド上面が前記補助先カンの開口部の上縁に当接する前に前記バンドの先端が前記補助先カンの開口部奥の側壁または前記バンド取付部の側壁に当接して回転を制止するものである。
【０００７】
また、この時計用バンドの取付部の構造においては、前記取付部材が挿入される前記バンドの先端の貫通穴の軸中心から前記バンドの先端までの長さＡと、前記貫通穴の軸中心から前記逃げ部までの長さＢとの関係が、Ａ＞Ｂとなるものでもある。
【０００８】
一方、本発明の時計用バンドの取付部の構造は、補助先カンの開口部にバンドの先端を挿入し、取付部材により前記補助先カン及び前記バンドを時計ケースのバンド取付部に取り付けた構造において、前記補助先カンの下方より開口部方向に突出するツバ部または前記バンド取付部の下方より開口部方向に突出するツバ部を設け、該ツバ部の上方に前記バンドの先端が位置するように配設し、前記取付部材を軸とし前記バンドの先端を回転させた時、バンド上面が前記補助先カンの開口部の上縁に当接する前に前記バンドの先端の下面が前記ツバ部に当接して回転を制止するものである。
【０００９】
また、この時計用バンドの取付部の構造においては、前記ツバ部の先端は、前記取付部材が挿入される前記バンドの先端の貫通穴の軸中心より突出していないものでもある。
【００１０】
更に、この時計用バンドの取付部の構造においては、前記補助先カンに設けた前記ツバ部が、一体または別体からなるものでもある。
【００１１】
また一方で、本発明の時計用バンドの取付部の構造は、補助先カンの開口部にバンドの先端を挿入し、取付部材により前記補助先カン及び前記バンドを時計ケースのバンド取付部に取り付けた構造において、前記バンドの先端の下部に、バンド短手方向に突出する突出部を設け、前記取付部材を軸とし前記バンドの先端を回転させた時、前記バンド上面が前記補助先カンの開口部の上縁に当接する前に前記突出部が前記補助先カンの下面に当接して回転を制止するものである。
【００１２】
また、この時計用バンドの取付部の構造においては、前記突出部の下面が、前記バンドの先端の下面と略同一面となるものでもある。
【００１３】
更に、この時計用バンドの取付部の構造においては、前記補助先カンの下面に、前記補助先カンの下面と前記突出部の下面とが略同一面となるように、前記突出部が当接する凹部が設けられているものでもある。
【００１４】
更にまた、これらの時計用バンドの取付部の構造において、前記取付部材は、バネ棒、ピン、割パイプの中の一つからなるものである。
【００１５】
【発明の実施の形態】
本発明の時計用バンドの取付部の構造においては、バンドの先端の下方に逃げ部を設けると共にバンドの先端が補助先カン又はバンド取付部の側壁に当接するように構成している。このため、この取付部の構造において、バンドの先端は逃げ部により回転可能な方向、即ちバンドの先端の上面が補助先カンの開口部の上縁から離れる方向へ回転することはできるが、バンドの先端の上面が補助先カンの開口部の上縁に近付く方向へ回転しようとすると、そのバンドの先端の上面が開口部の上縁に当接する前にバンドの先端が補助先カン又はバンド取付部の側壁に当接してその回転が制止されることになる。従って、バンドの先端の上面は補助先カンの開口部の上縁に当接することがなく、バンドの先端の上面の損傷を防ぐことができる。
【００１６】
また、本発明においては、補助先カンまたはバンド取付部の下方にツバ部を設け、このツバ部にバンドの先端が当接するように構成したものでもあり、上記取付部の構造と同様に、バンドの先端の上面が開口部の上縁に当接する前にバンドの回転を制止して損傷を防止することを可能にしている。
【００１７】
更に、本発明においては、バンドの先端の下面にバンド短手方向に突出する突出部を設け、この突出部が補助先カンの下面に当接するように構成したものでもある。そして、この突出部が補助先カンの下面に当接してバンドの回転を制止することにより、バンドの先端の上面が補助先カンの開口部の上縁に当接することを防ぐものでもある。
【００１８】
【実施例】
図１は本発明の第１実施例に係る時計用バンドの取付部の構造を示す要部断面図、図２は図１に示す時計用バンドの取付部の構造の要部半裁平面図、図３は図１に示す時計用バンドの取付部を示す斜視図である。１０は時計のケースであり、その端部には略コの字形等の形状に開口するバンド取付部１０ａが設けられている。
【００１９】
１２はバンド取付部１０ａに適合する補助先カンである。この補助先カン１２の略中央には、バンド取付方向に開口する開口部１２ａが設けられており、本実施例においてはその開口部１２ａの奥に側壁１２ｂが設けられている。
【００２０】
１４は連結された複数の駒からなるバンドであり、１４ａはその先端を示している。このバンド１４の先端１４ａの端部下面には、角部を斜めに切り落としたような傾斜面からなる逃げ部１４ｂが設けられている。
【００２１】
上記バンド１４の先端１４ａは、補助先カン１２の開口部１２ａ内に挿入され、バネ棒、ピン、割パイプ等の取付部材１６が挿入されることにより補助先カン１２に連結されている。更に、この補助先カン１２とバンド１４の先端１４ａは、共にケース１０のバンド取付部１０ａ内に嵌め込まれ、バンド取付部１０ａの短手方向端にある足１０ｂに補助先カン１２の短手方向に突出する取付部材１６の端部を嵌合させることによりバンド取付部１０ａに取り付けられる。この時、補助先カン１２の外端（開口部１２ａと反対側）がバンド取付部１０ａの側壁に密接し固定されている。
【００２２】
上記のように取り付けられたバンド１４の先端１４ａは、その逃げ部１４ｂにより、取付部材１６を軸として図１中時計方向に回転可能な状態となっている。このため、バンド１４は図１中下方に曲げることが容易となり、腕に巻付け易い状態にある。一方、このバンド１４の先端１４ａを図１中反時計方向に回転させると、先端１４ａの上面１４ｃが補助先カン１２の開口部１２ａの上縁１２ｃに当接する前に、先端１４ａの端部１４ｄが補助先カン１２の側壁１２ｂに当接して先端１４ａの回転を制止する。この結果、バンド１４の先端１４ａの上面１４ｃは補助先カン１２の開口部１２ａの上縁１２ｃに当接しなくなり、先端１４ａの上面１４ｃに傷が付くことはなくなる。
【００２３】
尚、各部の長さ及び距離の関係は、取付部材１６が挿入されているバンド１４の先端１４ａの貫通穴１４ｆの軸中心からバンド１４の先端１４ａの端部１４ｄまでの長さＡと、貫通穴１４ｆの軸中心から逃げ部１４ｂまでの長さＢを、Ａ＞Ｂとなるように設定し、貫通穴１４ｆの軸中心から補助先カン１２の側壁１２ｂまでの距離ＣをＡ＞Ｃ＞Ｂとなるように設定すれば良いものであり、このように設定することにより前述したようにバンド１４の先端１４ａの回転を適度に規制することができる。
【００２４】
また、本実施例においては補助先カン１２に側壁１２ｂを設けているが、この側壁１２ｂを設けずにケース１０のバンド取付部１０ａの奥にある側壁にバンド１４の先端１４ａの端部１４ｄが当接するように構成しても良い。
【００２５】
図４は本発明の第２実施例に係る時計用バンドの取付部の構造を示す要部断面図である。本実施例においては、補助先カン１２にその下方より開口部１２ａの開口方向に突出するツバ部１２ｄを設けている。また、バンド１４の先端１４ａは、ツバ部１２ｄの上方に位置するように補助先カン１２の開口部１２ａに嵌め込まれている。この取付部の構造においては、取付部材を軸としてバンド１４の先端１４ａを図４中反時計方向に回転させると、その先端１４ａの上面１４ｃが開口部１２ａの上縁１２ｃに当接する前に先端１４ａの下面１４ｅがツバ部１２ｄに当接して先端１４ａの回転を制止する。これにより、先端１４ａの上面１４ｃに傷が付くことを防ぐことができる。尚、バンド１４の先端１４ａの図４中時計方向への回転は任意に可能となっている。
【００２６】
また、この第２実施例におけるツバ部１２ｄの先端は、バンド１４の先端１４ａの貫通穴１４ｆの軸中心よりバンド取付方向に突出しないようにその長さが設定されている。このようにツバ部１２ｄの長さを設定することにより、このツバ部１２ｄがバンド１４の先端１４ａの図４中時計方向への回転を妨げないようにすることができる。
【００２７】
更に、本実施例における図４に示す補助先カン１２のツバ部１２ｄは、補助先カン１２の本体部分と一体に形成されているが、図５に示すように、補助先カン１２の下面１２ｅに溶接、ロー付等により板状部材１８を接合して形成することもできる。
【００２８】
また、本実施例においては、補助先カン１２にツバ部１２ｄを設けているが、このツバ部１２ｄを設けずにケース１０のバンド取付部１０ａの下方から突出するように構成しても良い。
【００２９】
図６は本発明の第３実施例に係る時計用バンドの取付部の構造を示す要部断面図であり、図７は図６に示す時計用バンドの取付部の構造の要部半裁底面図である。本実施例においては、バンド１４の先端１４ａの下部にバンド短手方向に突出する突出部１４ｇを設けている。この突出部１４ｇは、その下面がバンド１４の先端１４ａの下面１４ｅと略同一面となるように形成されている。また、この突出部１４ｇは、バンド１４の先端１４ａの貫通穴１４ｆの軸中心の真下からバンド取付方向にずれた所に位置するように形成されている。一方、補助先カン１２の下面１２ｅには、突出部１４ｇが当接する部分に突出部１４ｇに適合する凹部１２ｇが形成されている。この取付部の構造においては、取付部材１６を軸としてバンド１４の先端１４ａを図６中反時計方向に回転させると、先端１４ａの上面１４ｃが補助先カン１２の開口部１２ａの上縁１２ｃに当接する前に、突出部１４ｇが凹部１２ｇの内面に当接し、これにより先端１４ａの回転が制止される。これにより、先端１４ａの上面１４ｃが開口部１２ａの上縁１２ｃに当接することを防ぐことができる。尚、凹部１２ｇ内に突出部１４ｇが収まったときに、補助先カン１２の下面１２ｅと突出部１４ｇの下面とが略同一面となるように設定して、外観を整えると共に、手首に時計を携帯した時の装着感の向上を図っている。
【００３０】
上記各実施例においては、バンド１４の先端１４ａを構成する駒がムク材からなる場合を図示して説明したが、板材を巻くことにより形成される駒を連結する巻きバンドのように、その先端を構成する駒が巻きタイプのものであっても同様の構造にすることが可能である。その一例を図８及び図９を用いて説明する。
【００３１】
図８に示す取付部の構造は、図１に示す第１実施例に対応するものであり、補助先カン２２とバンド２４の先端２４ａの構造は異なるが第１実施例と同様の作用を成す構造となっている。即ち、補助先かん２２は板材を湾曲させることにより形成されており、その開口部２２ａにバンド２４の先端２４ａを差し込んで取付部材１６で時計ケース１０のバンド取付部１０ａに取り付けることにより、時計ケース１０の端部に押し付けられて固定されるものである。また、巻きタイプの先端２４ａは、板材を屈曲させてバンド長手方向端を管状にしたものであり、その管状部２４ｂの略中央に切り込みを入れて外方に折り出すことにより突出した端部２４ｄとその先端に逃げ部２４ｅとが形成されている。この端部２４ｄは、第１実施例における先端１４ａの端部１４ｄに相当し、逃げ部２４ｅは、第１実施例における逃げ部１４ｂに相当するものである。この端部２４ｄは補助先カン２２の奥にあるバンド取付部１０ａの側壁１０ｂに当接することにより、管状部２４ｂに挿入された取付部材１６を軸とするバンド２４の先端２４ａの図８中反時計方向への回転を制止して、先端１４ａの上面２４ｃが補助先カン２２の開口部２２ａの上縁２２ｃに当接することを防ぐことができる。また、バンド２４の先端２４ａは、その逃げ部２４ｅにより、取付部材１６を軸として図８中時計方向に回転可能な状態となっている。上記のようにすれば、第２及び第３実施例においても巻きタイプの先端を有するバンドに適応させることが可能である。
【００３２】
尚、上記各実施例に関しては、補助先カンの開口部が１つのバンド構造で説明したが、図１０に示すような開口部を複数有する串歯タイプのバンド構造にも適用できることは言う迄もない。
【００３３】
【発明の効果】
本発明によれば、バンドの先端の端部を補助先カンの側壁またはバンド取付部の側壁に当接させたり、補助先カンに設けたツバ部またはバンド取付部にバンドの先端の下面を当接させたり、あるいはバンドの先端に設けた突出部を補助先カンの下面に当接させることにより、バンドの先端の回転を制止してバンドの先端の上面が補助先カンの開口部の上縁に当接することを防ぐことができる。これにより、バンドの先端の上面が損傷することを完全に防ぐことができる。従って、バンドの先端の上面にシール等を貼る必要がなくなり、量産性を向上させることができ、コストも大幅に削減することができる。また、店頭における展示や腕に装着する際にもバンドの先端の上面が傷つくことがなく、展示や販売のための試着による損傷を防ぐことができる。
【図面の簡単な説明】
【図１】本発明の第１実施例に係る時計用バンドの取付部の構造を示す要部断面図である。
【図２】図１に示す時計用バンドの取付部の構造の要部半裁平面図である。
【図３】図１に示す時計用バンドの取付部を示す斜視図である。
【図４】本発明の第２実施例に係る時計用バンドの取付部の構造を示す要部断面図である。
【図５】図４に示す時計用バンドの取付部の構造の一部変更例を示す要部断面図である。
【図６】本発明の第３実施例に係る時計用バンドの取付部の構造を示す要部断面図である。
【図７】図６に示す時計用バンドの取付部の構造の要部半裁底面図である。
【図８】巻きタイプの先端を有するバンドを図１に示す第１実施例の構造に適応させた一例を示す要部断面図である。
【図９】図８に示すバンドの先端の下面側を示す斜視図である。
【図１０】串歯タイプのバンド構造における取付部を示す斜視図である。
【図１１】従来の時計用バンドの取付部の構造を示す要部断面図である。
【図１２】図１１に示す時計用バンドの取付部の構造の要部半裁底面図である。
【符号の説明】
１０            ケース
１０ａ          バンド取付部
１０ｂ          側壁
１２、２２      補助先カン
１２ａ、２２ａ  開口部
１２ｂ          側壁
１２ｃ          上縁
１２ｄ          ツバ部
１２ｅ          下面
１２ｇ          凹部
１４、２４      バンド
１４ａ、２４ａ  先端
１４ｂ、２４ｅ  逃げ部
１４ｃ、２４ｃ  上面
１４ｄ、２４ｄ  端部
１４ｅ          下面
１４ｆ          貫通穴
１４ｇ          突出部
１６            取付部材
１８            板状部材
２４ｂ          管状部
【図１】
0003825117.tif 000002
【図２】
0003825117.tif 000003
【図３】
0003825117.tif 000004
【図４】
0003825117.tif 000005
【図５】
0003825117.tif 000006
【図６】
0003825117.tif 000007
【図７】
0003825117.tif 000008
【図８】
0003825117.tif 000009
【図９】
0003825117.tif 000010
【図１０】
0003825117.tif 000011
【図１１】
0003825117.tif 000012
【図１２】
0003825117.tif 000013